(57)【要約】【課題】ころの端面の凹部に頼ることなく打抜き保持器からのころ抜けを規制しつつ、各抜止めを容易に精度よく形成することができると共に、抜止め及びころの外周部の破損を生じ難くする。【解決手段】ころ１の外周部とポケット３を形成する両柱２、２との接触でころ１の内外一方への抜けを規制し、内外他方に曲げたフランジ１４のうち、周方向で各ポケット３、３間に位置する部分に押し出し成形を加えて両ポケット３、３に入るころ１、１に有効な抜止め１５を形成し、フランジ１４に弾性変形を生じさせつつころ１をポケット３に押し込むと、両柱２、２に対応する位置関係の両抜止め１５、１５がころ１の外周部と間隙ｇをもって内外他方から重なるようにした。押し出し成形で抜止め１５を形成することにより、抜止め１５に打抜き断面及び自由端を無くし、ころ１の外周部と面接触のみを生じるようにした。【選択図】図１
2010043734.tif 000002
【特許請求の範囲】
【請求項１】
ころの外周部とポケットを形成する両柱との接触で該ころの内外一方への抜けが規制され、一端側の環状部に、内外他方に曲げたフランジが形成され、そのフランジに、前記ころの内外他方への抜けを規制する抜止めが形成されている打抜き保持器において、前記抜止めは、前記フランジのうち周方向で各ポケット間に位置する部分に加えた押し出し成形により正面側に膨らませた膨出部からなり、前記フランジに弾性変形を生じさせつつ前記ころを前記ポケットに押し込むと、前記両柱に対応する位置関係の両抜止めが前記ころの外周部と間隙をもって内外他方から重なることを特徴とする打抜き保持器。
【請求項２】
前記フランジの先端縁が円周に沿って打抜かれていることを特徴とする請求項１に記載の打抜き保持器。
【請求項３】
前記抜止めは、周方向に隣り合う両ころに対して有効な対称形に設けられていることを特徴とする請求項１又は２に記載の打抜き保持器。
【請求項４】
前記抜止めは、前記フランジの先端縁で最も軸方向に膨らみ、かつ内外一方側に進むに連れて軸方向に小さく膨らむことを特徴とする請求項１乃至３のいずれか１つに記載の打抜き保持器。
【請求項５】
前記抜止めは、前記フランジの先端縁で周方向幅が最も大きく、かつ内外一方側に進むに連れて周方向幅が小さくなることを特徴とする請求項４に記載の打抜き保持器。
【請求項６】
前記フランジの背面に、他の同形の打抜き保持器のフランジ背面と摺接させる平面部が形成されており、前記フランジの正面に前記ころのスキュー挙動を抑えるころ受け面が形成されており、前記平面部は、前記抜止めの押し出しに伴う窪みよりも内外一方側で全周に亘る主接触域と、周方向に隣り合う窪み間に位置する部分に形成された補助接触域とからなることを特徴とする請求項２乃至４のいずれか１つに記載の打抜き保持器。
【請求項７】
前記ころ受け面は、前記フランジの正面のうち周方向に隣り合う抜止め間に位置する部分に押し出し成形で形成されていることを特徴とする請求項６に記載の打抜き保持器。
【請求項８】
前記ころ受け面は、前記ころの自転軸と交わるフランジ部分を含む範囲に、かつ周方向に対称形に形成されていることを特徴とする請求項７に記載の打抜き保持器。
【請求項９】
前記窪みが前記平面部に連続していることを特徴とする請求項６乃至８のいずれか１つに記載の打抜き保持器。
【請求項１０】
前記窪みが前記フランジの先端縁に及ぶことを特徴とする請求項９に記載の打抜き保持器。
【請求項１１】
他端側の環状部に、内外他方に曲げた第２のフランジが形成されており、前記第２のフランジの先端部は、前記他端側の環状部に形成された前記ポケットの内周部分よりも前記ころの他端面に近い位置にあることを特徴とする請求項１乃至１０のいずれか１つに記載の打抜き保持器。
【請求項１２】
他端側の環状部に、内外他方に曲げた第２のフランジが形成されており、前記第２のフランジのうち周方向で各ポケット間に位置する部分に加えた押し出し成形により背面側に膨らませた第２の抜止めが形成されており、前記ころを前記両抜止め及びこれらに対応する両第２の抜止め間に押し込んで前記ポケットに入れることが可能であることを特徴とする請求項１乃至１０のいずれか１つに記載の打抜き保持器。
【請求項１３】
前記フランジのうち周方向で各抜止め間の部分に、正面及び背面側に開放された油窓が形成されていることを特徴とする請求項１乃至１２のいずれか１つに記載の打抜き保持器。
【請求項１４】
両つば付き内輪の軌道面上に前記各ポケットを配置した状態で前記ころの押し込みを行うことにより内輪アセンブリを組み立て可能な請求項１乃至１３のいずれか１つに記載の打抜き保持器。
【請求項１５】
前記内輪の両つばの外周と、前記一端側の環状部及び他端側の環状部の内周を用いた軌道輪案内方式に設けられていることを特徴とする請求項１４に記載の打抜き保持器。
【請求項１６】
前記一端側の環状部の内周及び他端側の環状部の内周のそれぞれに、全幅に亘る油溝が周方向の少なくとも１箇所形成されていることを特徴とする請求項１５に記載の打抜き保持器。
【請求項１７】
前記ころとの接触領域及び軌道輪との接触領域の少なくとも一箇所に対して、潤滑性、疲労強度、耐摩耗性及び耐食性のうち少なくとも１種の表面処理が施されていることを特徴とする請求項１乃至１５のいずれか１つに記載の打抜き保持器。
【請求項１８】
請求項１乃至１０のいずれか１つに記載の打抜き保持器が内外の軌道輪間に対向一対で組み込まれ、内外他方の軌道輪に、両打抜き保持器の前記窪みに向かって潤滑剤を供給する油穴が設けられていることを特徴とする自動調心ころ軸受。
【請求項１９】
請求項１乃至１７のいずれか１つに記載の打抜き保持器を用いたころ軸受。
【発明の詳細な説明】
【技術分野】
【０００１】
この発明は、プレス加工で造った打抜き保持器、及びその打抜き保持器を用いた自動調心ころ軸受等のころ軸受に関する。
【背景技術】
【０００２】
従来から、ころ軸受の組み立ての都合上、ころセットを保持器に保持させた状態で一まとめに取り扱えるようにしている。この種の保持器には、ポケットに入れたころの抜け止め構造が設けられる。
【０００３】
打抜き保持器の場合は、図１１に示すように、ころ１０１の外周部とポケット１０２を形成する両柱１０３、１０３との接触でころ１０１の内外一方への抜けが規制されている。係る規制を得るため、各柱１０３は、周方向に隣り合うころ１０１、１０１間の周方向間隔が最も狭くなる、ころ１０１の自転軸を含むピッチ円から内外一方に外れた位置に設けられる。このため、ころ本数やころ径を増すことができる利点もある。
【０００４】
また、打抜き保持器の一端側の環状部に、内外他方に曲げたフランジ１０４が形成され、そのフランジ１０４に、ころ１０１の内外他方への抜けを規制する抜止め１０５が形成されている。ころ１０１を押し当ててフランジ１０４乃至抜止め１０５を弾性変形させつつころ１０１をポケットに入れると、抜止め１０５は、ころ１０１の端面に形成された凹部１０６内に入り込み、ころ１０１の内外他方への抜けを凹部内面との引っ掛かりで規制するようになっている（例えば、特許文献１）。
【０００５】
図１１の例では、抜止め１０５は、ポケットの打抜きにおいてフランジ１０４を部分的に切り落とすことにより曲げ片を形成し、その曲げ片を正面側（すなわち、ポケットに臨む側）に曲げることで形成されている。
【０００６】
また、特許文献２に開示されたように、フランジを正面側に突き出すことにより、ころの端面の凹部に引っ掛かる抜止めを形成することも実施されている。
【先行技術文献】
【特許文献】
【０００７】
【特許文献１】特開平５−１５７１１６号公報
【特許文献２】特開平２−１８０３１４号公報
【発明の概要】
【発明が解決しようとする課題】
【０００８】
しかしながら、上述の従来例の打抜き保持器は、ころの端面に抜止めを係合させるための凹部を形成する必要があり、ころの加工コストが高くなる。
【０００９】
また、ころに要求される剛性上、ころの端面に深い凹部を形成できない場合、抜止めは、浅く形成された凹部に入り込ませるため、小さくなる。自動調心ころ軸受のようにミスアライメントの生じ得る条件下では、抜止めところとの接触が起こり得る。小さな抜止めは、摩耗で規制が効かなくなることも早く、軸受の分解点検で保持器を抜き出した際にころ抜けの恐れがある。
【００１０】
そこで、ころ抜けを端面の凹部に頼ること無く規制することを目的の一つとして、図７〜９に示すような打抜き保持器が先に提案されている（特願２００７−１０５８８４号）。図示の打抜き保持器は、自動調心ころ軸受用を例示している。この打抜き保持器は、ころ１が内外の軌道輪１１、１２間に介在する状態で自転軸を含むピッチ径の円周（以下、この円周を単にＰＣＤと呼ぶ）から内外一方に外れた位置に各柱２があり、ポケット３を形成する両柱２、２がころ１の一方への抜けを規制するようになっており、一端側の環状部に、内外他方に曲げたフランジ４が形成されており、そのフランジ４に、ころ１の他方への抜けを規制する抜止め５が形成されている。
【００１１】
この打抜き保持器は、金属板からなり、例えば、鋼板を素材としてプレス加工により製造される。
【００１２】
ポケット３を形成する両柱２、２（以下、単に両柱２、２と呼ぶ）の周方向端部は、転動するころ１の外周部を受けるように面押し加工されている。それら両柱２、２の周方向端部間の間隔は、ころ１の最大直径より小さくなっており、ポケット３からのころ１の内方への抜けが規制されている。ころ公転方向側に位置する柱２の周方向端部は、ころ１の外周部を受け、これにより、打抜き保持器が径方向成分の力を受けて径方向に案内される。なお、通常の運転条件である限り、転動するころ１が各柱２に乗り上げることがない。この打抜き保持器において、各柱２をＰＣＤの内方に位置させたのは、外方に位置させた場合と比して、転動する各ころ１の外周部と各柱２の周方向端部との接触で打抜き保持器が受ける径方向成分の力が大きくなり、これにより、打抜き保持器が径方向に案内され易くなるからである。各柱２の強度を優先する場合は、各柱２を外方に位置させてより大きな円周上に位置させることにより、同じころ本数等にしながら柱２の周方向幅を増すことができる。
【００１３】
抜止め５は、フランジ４の先端部分から延びる曲げ片からなり、その曲げ片を塑性曲げすることによってころ１の外周部に内外他方から隙間ｇをもって重なるように形成されている。隙間ｇがあるため、通常運転中、抜止め５は、ころ１の外周部と接触しない。
【００１４】
両抜止め５、５の間は、図１０に示すように、ころ１を両柱よりも他方から押し込むことで弾性的に広げられる。これにより、ころ１がポケット３に入るようになっている。ころ入れ後、図８に示す状態に抜止め５、５が弾性回復し、ころ１の外周部に内外他方から隙間ｇをもって重なる。このため、ころ１の端面と無関係に抜止め５で内外他方へのころ抜けが規制される。弾性変形によるため、隙間ｇを調整する手間がない。
【００１５】
自動調心ころ軸受の組み立てにおいては、図７に示すように、内方の軌道輪１１と打抜き保持器ところ１とがアッセンブリ化される。そのアッセンブリでは、各ポケット３内の各ころ１が、両柱２、２及び両抜止め５、５で内外への抜けが規制されている。したがって、図７中に二点鎖線で示すように、アッセンブリの中心軸が外方の軌道輪１２の中心軸と交差するように外方の軌道輪１２の内方に位置させた状態とし、その状態からアッセンブリを寝かせて外方の軌道輪１２の中心軸に一致させる、いわゆる返し作業を終えるまで、打抜き保持器からころ１が外れることはない。
【００１６】
なお、この例のように、打抜き保持器、ころ１、内方の軌道輪１１をアッセンブリ化した状態で外方の軌道輪１２に組み込む場合、ＰＣＤの外方に柱２があると、内方の軌道輪１１が邪魔をして、ころ１の組込みが困難である。これを避ける目的もあって、柱２をＰＣＤの内方から外して位置させている。
【００１７】
なお、この打抜き保持器は、自動調心ころ軸受の中でも、対向一対で組み込む打抜き保持器のフランジ４、４の背面同士を摺接させ、この摺接によりころ案内を行う用途になっている。この用途の場合、図８、図９に示すように、フランジ４の背面に、相手側となる同形の打抜き保持器のフランジ４の背面と摺接させる平面部４ａが形成され、フランジ４の正面に、ころ１のスキュー挙動を抑えるころ受け面７ａが形成される。フランジ４の正面にころ受け面７ａを形成すれば、軸受運転中、ころ１の端面ところ受け面７ａ間の位置関係がアキシアル負荷によって変動することが防止されるので、ころ１のスキュー挙動を安定して防止することができる。特に、この打抜き保持器は、フランジ４に曲げ片を打抜くことを利用し、そのフランジ４の周方向で抜止め５、５間の中間部分に突片７を形成し、その突片７を正面側に押し出すことによりころ受け面７ａを形成することができる。ころ１がスキュー挙動を示すと、ころ受け面７ａがころ１の端面と接触する。このとき、ころ１のスキュー挙動を受けた側のフランジ４は、図７に示すように、対向一対をなす相手側のフランジ４と互いの平面部４ａ、４ａ同士で摺接することにより相手側に支持される。このため、ころ受け面７ａでころ１のスキュー挙動を抑える案内作用が奏される。
【００１８】
特願２００７−１０５８８４号に開示の打抜き保持器は、上述のように種々の点で優れるが、次の（ａ）〜（ｃ）の点で改良の余地がある。
【００１９】
（ａ）フランジ４の打抜きで抜止め５用の曲げ片を形成するため、抜止め５に板面に沿ってエッジが形成される。また、打抜きパンチとダイスの間にクリアランスが設定されるため、抜止め５の打抜き断面は、せん断に伴う荒れをもって周方向両側端に形成される。係るエッジや打抜き断面は、通常運転時、ころ１の外周部と接触することはない。しかし、軸受の急加減速等の異常条件下においては、ころ１と保持器間に公転速度差が発生したとき、抜止め５のエッジ等がころ１の外周部と接触し得る。この接触現象が生じると、ころ１の外周部の油膜がエッジ等に掻き取られたり、ころ１の外周部に傷が付いたりし、ころ１の外周部の破損を招く。エッジ等を緩和する仕上げ加工を抜止め５に施せば問題ないが、手間を要する。
【００２０】
（ｂ）抜止め５が曲げ片からなるため、抜止め５とフランジ４の連続部分の断面積が小さい。係る連続部分は曲げ部であるから、上記の接触現象時や製品取り扱い時に抜止め５に対して過度な外力が与えられたとき、連続部分には応力集中が発生し、抜止め５の折れや曲がりといった破損を生じる恐れがある。
【００２１】
（ｃ）曲げ片を曲げ加工するとき、素材の材料成分分布の不均一や内部応力の不均一の影響により、中空に突き出る各抜止め５を所定の精度に形成することが難しい。
【００２２】
上記の事情に鑑み、この発明の課題は、ころの端面の凹部に頼ることなく打抜き保持器からのころ抜けを規制しつつ、各抜止めを容易に精度よく形成することができると共に、抜止め及びころの外周部の破損を生じ難くすることである。
【課題を解決するための手段】
【００２３】
上記の課題を達成するため、この発明は、ころの外周部とポケットを形成する両柱との接触で該ころの内外一方への抜けが規制され、一端側の環状部に、内外他方に曲げたフランジが形成され、そのフランジに、前記ころの内外他方への抜けを規制する抜止めが形成されている打抜き保持器において、前記抜止めは、前記フランジのうち周方向で各ポケット間に位置する部分に加えた押し出し成形により正面側に膨らませた膨出部からなり、前記フランジに弾性変形を生じさせつつ前記ころを前記ポケットに押し込むと、前記両柱に対応する位置関係の両抜止めが前記ころの外周部と間隙をもって内外他方から重なることを特徴とする。
【発明の効果】
【００２４】
この発明によれば、ころの内外一方への抜けが両柱で規制される。また、抜止めがころの外周部に間隙をもって内外他方から重なるため、ころの内外他方への抜けも規制される。したがって、この発明は、ころの端面の凹部に頼ることなく打抜き保持器からのころ抜けを規制することができる。
【００２５】
また、この発明によれば、フランジに押し出し成形を加えて抜止めを形成するため、抜止めにフランジから切り離された自由端が生じず、フランジとの連続部分の断面積が増すため、曲げ片に比してフランジに対する変形を生じ難い。したがって、この発明は、上述の異常条件下で、ころの外周部が抜止めに接触しても、抜止めの破損が生じ難い。
【００２６】
また、この発明は、ダイスを用いる押し出し成形で抜止めを形成するため、各抜止めを精度よく形成することができる。
【００２７】
また、この発明によれば、抜止めをフランジに押し出し成形を加えることで形成するため、抜止めに打抜き断面がなく、上述の異常条件下で、ころの外周部が膨出部の表面に面接触する。したがって、この発明は、ころの外周部の油膜が掻き取られたり、荒れた打抜き断面にころの外周部が傷付けられたりすることはなく、ころの外周部の破損が生じ難い。
【図面の簡単な説明】
【００２８】
【図１】実施形態に係る自動調心ころ軸受の要部断面図
【図２】ａは、図１のポケットをころ自転軸を含むアキシアル平面で切断した断面図、ｂは、前記ａの矢線Ｂ方向から視たポケットの平面図、ｃは、前記ａのＣ−Ｃ線の断面図、ｄは、前記ａのＤ−Ｄ線の断面図
【図３】ａは、図１のフランジを正面側から視た部分拡大斜視図、ｂは、図１のフランジを背面側から視た部分拡大斜視図、ｃは、変形例のフランジを正面側から示す要部拡大斜視図
【図４】ａは、図２のポケットにころを入れる準備状態を示す作用図、ｂは、前記ａの状態からころをポケットに押し込む様子を示す作用図、ｃは、前記ｂの状態から弾性回復した様子を示す作用図
【図５】図１の打抜き保持器の背面図
【図６】図１のアッセンブリを返し作業で組み込む様子を示す作用図
【図７】先行提案例に係る打抜き保持器を備えた自動調心ころ軸受の縦断面図
【図８】ａは、図７の打抜き保持器のポケットをラジアル平面の切断面で示した部分拡大断面図、ｂはそのポケットをアキシアル平面の切断面で示した部分拡大断面図
【図９】ａは図７の打抜き保持器を斜め外方から示した部分拡大斜視図、ｂは図７の打抜き保持器を斜め内方から示した部分拡大斜視図、ｃは前記ｂを図中の下方から示した底面図
【図１０】ａは図７の打抜き保持器のポケットにころを入れる様子をアキシアル平面の切断面で示す作用図、ｂは前記ａの様子をｂ−ｂ線のラジアル平面の切断面で示す作用図
【図１１】ａは従来例の打抜き保持器の部分拡大縦断面図、ｂは前記ａの打抜き保持器を斜め外方から示した部分拡大斜視図
【図１２】第２実施形態に係る打抜き保持器を備えた円錐ころ軸受の断面図
【図１３】第２実施形態に係る打抜き保持器を図２ａの矢線Ｂ方向と同じ視線で示した部分平面図
【図１４】第２実施形態に係る打抜き保持器を一端側から示した部分側面図
【図１５】第３実施形態に係る打抜き保持器を備えた円錐ころ軸受の要部断面図
【図１６】第４実施形態に係る打抜き保持器を備えた円錐ころ軸受の要部断面図
【図１７】第５実施形態に係る打抜き保持器を備えた円錐ころ軸受の要部断面図
【図１８】第５実施形態に係る打抜き保持器を図２ａの矢線Ｂ方向と同じ視線で示した部分平面図
【図１９】第６実施形態に係る打抜き保持器を備えた円錐ころ軸受の要部断面図
【図２０】第６実施形態に係る打抜き保持器を一端側から示した部分側面
【図２１】第７実施形態に係る打抜き保持器を備えた円錐ころ軸受の要部断面図
【発明を実施するための形態】
【００２９】
以下、この発明に係る実施形態を添付図面に基いて説明する。
図１〜図３（ａ）、（ｂ）に示すように、実施形態に係る打抜き保持器は、ころ１が内外の軌道輪１１、１２間に介在する状態で自転軸Ｃを含むピッチ径の円周（以下、この円周を単にＰＣＤと呼ぶ）から内外一方に外れた位置に各柱２があり、ポケット３を形成する両柱２、２がころ１の一方への抜けを規制するようになっており、一端側の環状部に、内外他方に曲げたフランジ１４が形成されており、そのフランジ１４に、ころ１の他方への抜けを規制する抜止め１５が形成されているものである。以下、特願２００７−１０５８８４号と同じに考えられる構成の説明を省略する。
【００３０】
抜止め１５は、フランジ１４のうち周方向で各ポケット３間に位置する部分に加えた押し出し成形により正面側に膨らませた膨出部からなる。周方向に隣り合うころ１、１間に生じる空間は、両柱２、２ところ１との関係で決定することができる。両柱２、２に対応する位置関係の両抜止め１５、１５は、ころ１の外周部に内外他方から重なるようにＰＣＤから内外他方に外れた位置に設けられるので、ころ１、１間の空間に収まるように形成することができる。このため、各抜止め１５がころ本数等に影響を及ぼすことはない。
【００３１】
図４（ａ）に示すように、ころ１の外周部を抜止め１５乃至フランジ１４に押し当てることにより、図４（ｂ）に示すように、フランジ１４乃至柱２に弾性変形を生じさせると、ころ１をポケット３に押し込むことができる。図４（ｃ）に示すように、弾性回復が生じると、図２に示すように、前記両柱２、２に対応する位置関係の両抜止め１５、１５がころ１の外周部と間隙ｇをもって内外他方から重なる。
【００３２】
図５に示すように、フランジ１４の先端縁は、円周に沿って打抜かれている。ここで、円周は、保持器中心軸回りの円周のことである。
【００３３】
上述のように、フランジ１４に押し出し成形を加えることで抜止め１５を形成するため、フランジ１４に抜止め形成用の切り落とし部分が生じず、この部分を種々の目的に利用することができる。このことを利用し、フランジ１４の先端縁を円周に沿って打抜くようにすれば、加工形状が単純になる。実施形態は、単純形状にフランジ１４を打抜くため、その加工、打抜き金型の製作における精度出し、及び金型寿命の点で有利である。さらに、切り落とす部位が減るため、廃棄物を削減することもできる。
【００３４】
また、図２、図３（ａ）、（ｂ）に示すように、抜止め１５は、周方向に隣り合う両ころ１、１に対して有効な対称形に設けられている。
【００３５】
フランジ１４のうち周方向で各ポケット３、３間に位置する部分に押し出し成形を加える。この位置に各抜止め１５を設けると、周方向に隣り合う両ころ１、１に対して有効な対称形にすることにより、抜止め１５の成形数を減らすことができる。上述のようにダイスで精度よく抜止め１５を形成することが可能なため、実施形態においては、両ころ１、１に対して同じ抜止め効果を容易に得ることができる。
【００３６】
実施形態は、自動調心ころ軸受用のため、返し作業を前提に抜止め１５が設計される。すなわち、図６に示すように、アッセンブリの返し作業を行うとき、ポケット３の周方向両側にある抜止め１５は、ころ１の外周部に掛かり、ころ１の内外他方への抜けを規制する。抜止め１５が弾性回復によって間隙ｇをもってころ１の外周部に重なるため、通常運転時、抜止め１５の摩耗はなく、ころ入れ後の調整の手間がない。
【００３７】
図２、図３（ａ）、（ｂ）に示すように、抜止め１５は、フランジ１４の先端縁で最も軸方向に膨らみ、かつ内外一方側に進むに連れて軸方向に小さく膨らむように形成されている。ここで、軸方向とは、保持器中心軸に沿った方向のことである。以下、ラジアル平面、アキシアル平面を用いるときは、保持器中心軸に関する。
【００３８】
フランジ１４の先端縁で最も軸方向に膨らむと、フランジ幅を最大限に有効利用して抜止め１５をころ１の外周部に間隙ｇをもって重ねることができる。
【００３９】
また、押し出し成形においては、抜止め１５を曲面にすることが自然である。このことを踏まえ、抜止め１５は、内外一方側に進むに連れて軸方向に小さく膨らむように形成されている。抜止め１５は、フランジ１４の先端縁から内外一方側に向かって、ころ１の外周部に対する逃げ形状を与えられる。その結果、図４に示すように、ころ１の外周部を抜止め１５の逃げ形状部分に押し当てながらフランジ１４に弾性変形を生じさせることができ、ころ入れに必要なフランジ１４の変形量を少なくすることができる。
【００４０】
フランジ１４の先端縁は最も押し出しで変形させ易い部分であるから、そこで抜止め１５の軸方向の膨らみを最も大きくすれば、比較的に小さな加工力で成形することができる。
【００４１】
また、抜止め１５は、フランジ１４の先端縁で周方向幅が最も大きく、かつ内外一方側に進むに連れて周方向幅が小さくなるように形成されている。
【００４２】
抜止め１５の軸方向の膨らみをフランジ１４の先端縁で最も大きくする場合、抜止め１５の剛性を要する。抜止め１５の周方向幅をフランジ１４の先端縁で最も大きくすれば、抜止め１５の剛性を効果的に高めることができる。さらに、抜止め１５は、内外一方側に進むに連れて周方向幅が小さくなるため、周方向にもころ入れを考慮した逃げ形状を与えられる。
【００４３】
なお、抜止め１５は、所望の抜止め規制や目的とする効果が得られる限り、適宜に決定することができる。例えば、実施形態では、抜止め１５を上述のような逃げ形状を与えるため、保持器中心側に頂点を向けて円錐柱に基いた形態としたが、球面に基いた形態にすることもできる。
【００４４】
また、抜止め１５は、押し出しを容易にするため、ころ１の外周部のうち面取りのみ掛かり得る膨らみが与えられている。このことは、ころ１が柱２に乗り上げたときにころ１の転動面を保護する上でも好ましいが、確実な抜止め規制を優先する場合はころ１の転動面に掛かり得る膨らみを与えることもできる。
【００４５】
また、自動調心ころ軸受用においてころ案内を行うため、図１に示すように、フランジ１４の背面には、他の同形打抜き保持器のフランジ１４の背面と摺接させる平面部が形成され、フランジ１４の正面には、ころ１のスキュー挙動を抑えるころ受け面１６が形成されている。
【００４６】
保持器にころ受け面１６を形成すると、ころ軸受が受けるアキシアル荷重の状態によらず、いずれの列においてもころ１の端面ところ受け面１６との離間が避けられるので、ころ１のスキュー挙動を安定して防止することができる。
【００４７】
図３（ａ）、（ｂ）、図５に示すように、フランジ１４の前記平面部は、運転中の摺接性からラジアル平面に沿う向きになっており、抜止め１５の押し出しに伴う窪み１７よりも内外一方側で全周に亘る主接触域１８ａと、周方向に隣り合う窪み間に位置する部分に形成された補助接触域１８ｂとからなる（以下、両接触域１８ａ、１８ｂを示すときは、平面部１８ａ、１８ｂと総称する）。
【００４８】
上述のようにフランジ１４、１４の背面同士の摺接によりころ案内を行う場合、安定した保持器、ころ挙動を得るには、フランジ１４の背面に形成する平面部の面積を大きくすること、平面部を周方向全周に亘って大きな幅で確保すること、及び平面部の平面度を高くすることがそれぞれ有効である。
【００４９】
抜止め１５は、図２（ｄ）に示すように、ころ１の外周部に内外他方から間隙ｇをもって重なるように形成すればよく、図５に示すように、フランジ１４のうち、各抜止め１５よりも内外一方側の部分に全周に亘って主接触域１８ａを形成することが可能である。フランジ１４の先端縁が円周に沿い、切り落とし部分がないことを利用すれば、周方向に隣り合う窪み間に補助接触域１８ｂを追加し、特願２００７−１０５８８４号のものよりも平面部の面積を広げることができる。
【００５０】
なお、補助接触域１８ｂは、最大でフランジ１４の先端縁と同径まで広げることができる。フランジ１４の先端縁は、図１、図６に示すように、内外他方の軌道輪１２に挿入可能な限界まで広げることができる。補助接触域１８ｂは、抜止め１５の配置から周方向に等配で形成されており、保持器重心を狂わせない。
【００５１】
図２、図３（ａ）、（ｂ）、図５に示すように、各ころ受け面１６は、フランジ１４の正面のうち周方向に隣り合う抜止め１５、１５間に位置する部分に押し出し成形で形成されている。その結果、フランジ１４の背面に各ころ受け面１６の押し出しに伴う凹部１９が形成されている。
【００５２】
フランジ１４の先端縁が円周に沿い、切り落とし部分がないことを利用すれば、周方向に隣り合う抜止め１５、１５間にころ受け面１６を形成することができる。係る部分であれば、ころ受け面１６を押し出し成形で形成することができる。押し出し成形でころ受け面１６を形成すれば、フランジ１４の打抜きで形成された突片と異なり、打抜き断面がころ受け面１６に生じない。ころ案内時にころ１の端面が接触するとき、その端面がころ受け面１６に押し付けられる。このとき、打抜き断面のないころ受け面１６であれば、エッジや荒れた断面がころ１の端面に接触することはなく、ころ１の端面の油膜が掻き取られたり、ころ１の端面が傷付けられたりしない。したがって、ころ１の端面の破損が生じ難い。
【００５３】
また、各ころ受け面１６は、ころ１の自転軸Ｃと交わる部分を含む範囲に、かつ周方向に対称形に形成されている。
【００５４】
ころ受け面１６ところ１の端面とは押し合いに伴い全面的に接触する。全面的に接触するとき、ころ１の自転軸Ｃを含むアキシアル平面（図２中にＰＣＤと直交する１点鎖線で示す）の周方向両側ですべり抵抗に差が生じると、ころ自転が不安定な挙動になる。このため、ころ受け面１６をころ自転軸Ｃを基準とした対称形に形成することが理想的である。特願２００７−１０５８８４号のようにフランジの先端縁を幅方向に部分的に切り落とした突片にころ受け面を形成すると、ころ自転軸を基準とした対称形に形成することができない。
【００５５】
押し出し成形でころ受け面１６を形成すれば、ころ受け面１６を、ころ１の自転軸Ｃと交わるフランジ部分を含む範囲に、かつ周方向に対称形に形成することができる。係るころ受け面１６を有する実施形態は、ころ案内時にすべり抵抗差が生じ難く、より安定したころ挙動を得ることができる。
【００５６】
また、各窪み１７は、前記平面部１８ａ、１８ｂに連続している。
【００５７】
フランジ１４の窪み１７には、潤滑剤が入り込む。このため、窪み１７が平面部１８ａ、１８ｂに連続していると、窪み１７内の潤滑剤が平面部１８ａ、１８ｂに自然と供給される。したがって、実施形態は、対向一対の打抜き保持器が互いの平面部１８ａ、１８ｂ同士が摺接するとき、平面部１８ａ、１８ｂの潤滑が良好になる。
【００５８】
潤滑剤は、潤滑油又はグリースのいずれでもよい。
【００５９】
また、窪み１７は、フランジ１４の先端縁に及ぶ。
【００６０】
窪み１７がフランジ１４の先端縁に及んでいると、対向一対の打抜き保持器が互いの平面部１８ａ、１８ｂ同士で摺接するときでも、両フランジ１４、１４間に窪み１７による開放口が生じる。したがって、実施形態は、軸受内部の潤滑剤が窪み１７に入り易く、ひいては、平面部１８ａ、１８ｂの潤滑をより得易くなる。
【００６１】
なお、実施形態においては、抜止め１５をフランジ１４の先端縁で最も軸方向に膨らみ、かつ周方向幅が最も大きくなるように形成したため、特に窪み１７の開放口を最も大きくすることができ、特に軸受内部の潤滑剤が窪み１７に入り易くなっている。
【００６２】
また、凹部１９に潤滑剤が入り、その潤滑剤が平面部１８ａ、１８ｂに供給されるようにすれば、平面部１８ａ、１８ｂの潤滑がより良好になる。
【００６３】
なお、図３（ｃ）にフランジ１４の変形例を示すように、ころ受け面の押し出しを省略すれば、その分、補助接触域を増やすこともできる。
【００６４】
図１に示すように、実施形態に係る自動調心ころ軸受は、窪み１７がフランジ１４の先端縁に及ぶ打抜き保持器が内外の軌道輪１１、１２間に対向一対で組み込まれ、内外他方の軌道輪１２に、両打抜き保持器の窪み１７に向かって潤滑剤を供給する油穴１２ａが設けられている。
【００６５】
実施形態に係る自動調心ころ軸受は、案内輪が存在しないため、潤滑剤を油穴１２ａから補給すると、窪み１７に潤滑剤が入り易い。
【００６６】
上述のように、実施形態に係る打抜き保持器は、フランジ１４に押し出し成形を加えて抜止め１５を形成するため、抜止め１５にフランジ１４から切り離された自由端が生じず、フランジ１４との連続部分の断面積が増すため、曲げ片に比してフランジ１４に対する変形を生じ難い。したがって、柱２にころ１が乗り上がるといった異常条件下で、ころ１の外周部が抜止め１５に接触しても、抜止め１５の破損が生じ難い。このことは、柱２に乗り上げ等するころの挙動を抜止め１５との接触で正規の位置に安定させることや、打抜き保持器の取扱い時に抜止め１５の保護を楽にすることに有利である。また、ダイスを用いる押し出し成形で抜止め１５を形成するため、各抜止め１５を精度よく形成することができる。
【００６７】
なお、この発明は、実施形態に限定されず、この発明の課題を達成することができる限り、様々に変更することができる。また、上述の応用目的を達成するための構成は、適宜に組み合わせて、又は単独で採用することができる。
【００６８】
例えば、外方の軌道輪、打抜き保持器、ころをアッセンブリ化する場合は、柱をＰＣＤよりも外方に位置させ、フランジを内方に曲げればよい。
【００６９】
また、保持器案内形式を柱利用の転動体案内方式に代えて、フランジの先端縁を円周に沿って成形可能なことを利用し、大小両環状部のフランジを利用した軌道輪案内方式にすることも可能である。保持器ところの公転速度差を生じ難い点で軌道輪案内方式よりも転動体案内方式が好ましい。
【００７０】
また、実施形態は、円錐ころ、円筒ころ等用に変更することもできる。例えば、円錐ころ軸受においては、超大型軸受に採用されるピン形溶接保持器や、特開２００６−２２８２４号に開示されたような自動車用軸受の樹脂保持器を除き、両つば付き内輪（内方の軌道輪に相当する）と両柱とでころを抱える打抜き保持器とし、その保持器案内方式をころ案内方式とすることが広く行われている。両つば付き内輪と、打抜き保持器、ころによって内輪アセンブリを組み立てる場合、例えば、特開２００２−２９５４８２号や特開２００４−２９３６９８号に開示されているように、打抜き保持器の製造段階において、保持器の小径側で拡径する塑性変形を生じさせる底広げを施し、打抜き保持器の小径側から円錐ころをポケットに入れて内輪の軌道面に配置し、全てのころ入れ後に打抜き保持器の小径側を加締めることにより、ころ付き内輪を完成させるようになっている。このため、内輪アセンブリの組み立てには、底広げ型、加締め型及びその作業、段取り工数が必要となる。その加締めでは、プレス機の下死点を決めるための段取り用保持器が余分に必要である。このことは、円筒ころ軸受において内輪アセンブリを組み立てるときも同じである。したがって、円錐ころ軸受や円筒ころ軸受においても、底広げ、加締めを必要とせず、運転中も抜止めが破損することのない打抜き保持器が求められている。
【００７１】
この発明の第２実施形態として円錐ころ軸受に適用した例を説明する。以下、上述の実施形態との相違点を中心に述べ、同一に考えられる構成の説明を省略する。図１２〜図１４に示すように、第２実施形態に係るころ２１は、円錐ころからなる。一端側の環状部２２は、小径側の環状部からなる。外輪３０は分離形軌道輪からなる。内輪３１は、軌道面３２の両側につば３３、３４が形成された両つば付きの軌道輪からなる。一端側のつば３３は小つばからなり、他端側のつば３４は大つばからなる。
【００７２】
第２実施形態に係る打抜き保持器は、底広げを実施されていない。係る打抜き保持器は、内輪３１の軌道面３２上に各ポケット２３が位置するように内輪３１と同心に配置することができる。各ポケット２３を軌道面３２上に配置した状態でころ２１をポケット２３に押し込むことにより、ころ２１の一端面に押されたフランジ２４が倒れてころ２１の他端面がポケット２３に入り、ころ２１が両つば３３、３４間に位置する。この状態では、両柱２５、２５と、両抜止め２６、２６と、内輪３１の軌道面３２及び両つば３３、３４とでころ２１が抱かれた状態となり、係る打抜き保持器、ころ２１及び内輪３１が一体化される。したがって、全てのポケット２３にころ２１の押し込みを行うことにより、内輪アセンブリの組み立てることができる。
【００７３】
上述のように、第２実施形態に係る打抜き保持器は、両つば付き内輪を用いて内輪アセンブリを組み立て可能なため、底広げ、加締めを必要とせず、通常運転中、抜止め２６との間に間隙ｇが生じるため、破損が生じ難く、異常運転によりころ２１が抜止め２６に衝突しても、膨出部からなる抜止め２６は破損し難く、ころ２１の外周部も傷付かない。
【００７４】
第２実施形態に係る打抜き保持器は、ころ案内方式に代えて、軌道輪案内方式でラジアル方向に案内されるように設けられている。具体的には、内輪３１の両つば３３、３４の外周と、一端側の環状部２２及び他端側の環状部２７の内周を用いた軌道輪案内方式に設けられている。両つば３３、３４のそれぞれの外周に、円筒面状の保持器案内面３３ａ、３４ａが形成されている。一端側の環状部２２及び他端側の環状部２７のそれぞれの内周に、常に保持器案内面３３ａ、３４ａに対向する位置に芯ずれ量δ１だけ大径の仮想円筒面に沿った被案内部２２ａ、２７ａが形成されている。運転中、係る打抜き保持器に所定量の芯ずれδ１が任意の一方向に生じると、被案内部２２ａ、２７ａと保持器案内面３３ａ、３４ａとが周方向に滑り接触するようになっている。つば３３、３４の外周を利用した軌道輪案内方式によれば、両側の環状部２２、２７を最大限に内外一方側に寄せることができ、ひいては両柱２５、２５も同様に寄せられるので、ころ本数やころ径の大径化を最大限に図ることができる。
【００７５】
第２実施形態の変更例として、この発明の第３実施形態を図１５に基いて説明する。図示のように、第３実施形態に係る一端側の環状部４１は、大径側の環状部からなる。他端側の環状部４２に第２のフランジ４３が内外他方に曲げて形成されている。第２のフランジ４３を追加することにより保持器全体の剛性が高められている。第２のフランジ４３を内外他方に曲げたことにより、被案内部４２ａを確保することができる。
【００７６】
一端側の環状部４１にフランジ４４及び抜止め４５を形成したため、一端側の環状部４１の内周には、被案内部４１ａが仮想円錐面に沿って形成されている。これに対応して、一端側のつば５１の外周には、保持器案内面５１ａが円錐面状に形成されている。
【００７７】
第３実施形態の変更例として、この発明の第４実施形態を図１６に基いて説明する。図示のように、第４実施形態に係る第２のフランジ６１は、一端側に倒れるように曲げられている。ここで、ポケット６２に入ったころ２１がつば案内面に接する正規の位置からころ自転軸Ｃに直交する方向に移動したときに抜止め６３と接触する接触部Ｐ１、両抜止め６３との接触部Ｐ１、Ｐ１を含みころ自転軸Ｃに直交する平面（図中では間隔Ｌを示す右側の引き出し線が平面に相当する）、該平面に平行な平面であって他端側の環状部６４に形成されたポケット６２の内周部分６２ａと接する第２平面（図中では間隔Ｌを示す左側の引き出し線が第２平面に相当する）、前記平面に平行な平面であって第２のフランジ６１と接する第３平面（図中では間隔Ｌを示す左側の引き出し線が第３平面に相当する）を考えたとき、第２のフランジ６１は、前記平面及び前記第３平面間の間隔ｌが前記平面及び前記第２平面間の間隔Ｌよりも狭くなるように曲げられている。このように曲げると、第２のフランジ６１の先端部は、他端側の環状部６４に形成されたポケット６２の内周部分６２ａよりもころ２１の他端面２１ａに近い位置にある。
【００７８】
通常、ころ２１の自重程度であれば、ポケット６２に入ったころ２１が他端側から抜け出ようとしても、間隔Ｌの設定により、ころ２１の他端面がポケット６２の内周部分６２ａに掛かって抜け出ることはない。内輪アセンブリが落下したときのように、衝撃荷重がアセンブリに負荷されると、係る打抜き保持器の弾性変形でころ２１の他端面とポケット６２の内周部分６２ａとの掛かりが無効化されることが懸念される。この第４実施形態のように、第２のフランジ６１の先端部がポケット６２の内周部分６２ａよりもころ２１の他端面２１ａに近い位置にあると、上述の無効化が生じても、ころ２１の抜け出しを第２のフランジ６１で防止することができる。
【００７９】
なお、第２のフランジ６１は、全てのころ入れを終えた後にフランジ曲げ加工を施すことで形成することができる。また、第２のフランジ６１は、一端側のフランジと同時にフランジ曲げ加工を行うことで形成することもできる。ころ入れ前に第２のフランジ６１を形成する場合、ころ入れは、ころ２１を間隔ｌの間に押し込むように行えばよい。
【００８０】
第３実施形態の変更例として、この発明の第５実施形態を図１７、１８に基いて説明する。図示のように、第５実施形態に係る打抜き保持器は、第２のフランジ７１のうち周方向で各ポケット７２間に位置する部分に加えた押し出し成形により背面側に膨らませた第２の抜止め７３、７３・・・が形成されている。図１７中に、ころ入れ直前のころ２１’の位置を一点鎖線で描く。図１８中に、１のポケット７２に入れるころ２１’を示す。両図中に示すように、直前の状態では、ころ２１’の外周部が両抜止め７４、７４及び両第２の抜止め７３、７３に掛かる。この直前の状態から、一端側の両抜止め７４、７４及びこれらに対応する両第２の抜止め７３、７３間にころ２１’を押し込むと、両抜止め７４、７４及び両第２の抜止め７３、７３がころ２１’の外周部に押される。その結果、図１７中に両フランジ７１、７５の弾性変形の概要を一点鎖線で描いたように両フランジ７１、７５が逃げるので、ころ２１を両抜止め７４、７４及びこれらに対応する両第２の抜止め７３、７３間に押し込んでポケット７２に入れることが可能である。
【００８１】
第５実施形態は、第４実施形態のような単なる第２のフランジではなく、抜止め７４と同様の両第２の抜止め７３、７３を形成したため、上述の無効化が生じても、ころ２１の抜け出しをより確実に防止することができる。
【００８２】
第５実施形態に係る打抜き保持器は、柱７６ところ２１の転動面との滑り接触によりラジアル方向に案内されるころ案内方式に設けられている。ころ案内方式では、異常運転により、ころ２１が柱７６に乗り上げる恐れが高まる。第５実施形態のように抜止め７３を追加すれば、両抜止め７４、７４及び両第２の抜止め７３、７３でころ２１の外周部を受けることができるので、上述の乗り上げが生じてもころ２１の周方向等配を確実に維持することができる。なお、第５実施形態において軌道輪案内方式を採用することも可能である。
【００８３】
第２実施形態の変更例として、この発明の第６実施形態を図１９、２０に基いて説明する。図示のように、第６実施形態に係る打抜き保持器は、フランジ８１のうち周方向で各抜止め２６、２６間の部分に、正面及び背面側に開放された油窓８２が形成されている。
運転中、フランジ８１のうち周方向で各抜止め２６、２６間の部分から油窓８２内を経て潤滑剤が出入りするため、ころ２１の一端面に潤滑剤が直接に供給され易くなり、抜止め２６にも潤滑剤が達し易くなる。
【００８４】
油窓８２は、切欠き状に限定されず、適宜の配置、形態で形成することができ、例えば、貫通孔や、内周全幅に亘る溝にすることもできる。また、油窓８２は、外周側だけでなく、内周側に追加することもできる。
【００８５】
ころ２１をつば３４で案内する場合、フランジ８１へのころ案内面形成を省略することができるので、油窓８２の面積を確保し易い。このため、油窓８２は、つば案内のころ軸受用の打抜き保持器に好適である。油窓８２を形成するフランジ８１は、第６実施形態のように一端側のフランジに限定されず、第４実施形態や第５実施形態のように他端側の第２のフランジを形成する場合、両方又は一方に形成することができる。特に、円錐ころ軸受用において大径側の環状部にフランジ又は第２のフランジを形成した場合、大径側の環状部に油窓を形成することは、アキシアル負荷を受けるころの大端面（図示でいうと他端面側）の潤滑を良くするのに好適である。
【００８６】
なお、油窓８２は、予め素材の打抜き時に形成したり、抜止め２６の形成後にフランジ８１を打抜いて形成したりすることができる。
【００８７】
第２実施形態の変更例として、この発明の第７実施形態を図２１に基いて説明する。図示のように、第７実施形態に係る打抜き保持器は、一端側の環状部９１の内周及び他端側の環状部９２の内周のそれぞれに、全幅に亘る油溝９３、９４が周方向の少なくとも１箇所形成されている。全幅に亘る油溝９３、９４が形成されていると、運転中、潤滑剤が係る打抜き保持器の側方から油溝９３、９４内に入り、保持器回転に伴って油溝９３、９４内の潤滑剤が被案内部９１ａ、９２ａと保持器案内面３３ａ、３４ａの滑り接触部に供給されるので、係る滑り接触部における油膜切れを防止することができる。全周において均一に油膜切れを防止するため、油溝９３、９４は、なるべく周方向等配で多く形成する方が好ましい。
【００８８】
油溝９３、９４を形成する加工は、例えば、フランジ曲げ前に円形板にプレス加工で形成したり、円形板から環状体を絞るのと同時に形成したりすることができる。
【００８９】
上述の各実施形態において、ころとの接触領域及び軌道輪との接触領域の少なくとも一箇所に対して、潤滑性、疲労強度、耐摩耗性及び耐食性のうち少なくとも１種の表面処理が施されていることが好ましい。打抜き保持器全体に表面処理を施してもよい。
【００９０】
ころとの接触領域としては、例えば、抜止め、第２の抜止め、ポケットの内周（特に、ころの外周部と接触し得る柱の周方向端部）の表面部分が挙げられる。軌道輪との接触領域としては、軌道輪案内方式を採用する場合の被案内部が挙げられる。これらの中の少なくとも一箇所で他の保持器部分に比して不足する性能を表面処理で補うことができ、ひいては打抜き保持器の寿命を延ばすことができる。
【００９１】
潤滑性を向上させる表面処理としては、微細なディンプルや溝を形成する処理、例えば、タンブラ処理、ＨＬ（Ｈｉｇｈ  Ｌｕｂｒｉｃａｔｉｏｎ）処理等が挙げられる。ここで、ＨＬ処理は、特開２００９−０２４７１１号、特開２００８−１２１７５５号、特開２００６−１０５３２３号、特開２００３−２０６７０８号等に開示されているように、Ｓｋ値を−１．６以下に設定することにより、油膜形成性が向上し、長寿命の揺動軸受を得ることができる処理のことをいう。Ｓｋ値とは、粗さ曲線の歪度（スキューネス）を指し（ＩＳＯ４２８７：１９９７）、凹凸分布の非対称性を知る目安の統計量を指し、この値は、ガウス分布のような対称な分布ではＳｋ値は０に近くなり、凹凸の凸部を削除した場合は負、逆の場合は正の値をとることになる。Ｓｋ値のコントロールは、バレル研磨機の回転速度、加工時間、ワーク投入量、チップの種類と大きさ等を選択することにより行うことができる。
【００９２】
疲労強度及び耐摩耗性を向上させる表面処理としては、表面への圧縮応力生成や高硬度化を生じさせる処理、例えば、ショットピーニング処理、タフトライド処理、ＤＬＣ（Ｄｉａｍｏｎｄ−Ｌｉｋｅ  Ｃａｒｂｏｎ）処理等が挙げられる。
【００９３】
耐食性を向上させる表面処理としては、例えば、燐酸塩被膜処理、亜鉛メッキ等が挙げられる。
【００９４】
特定部位に限った表面処理が困難な場合、打抜き保持器全体に施せばよい。特に、潤滑性を向上させる表面処理は、ころとの接触領域や被案内部に施すことが好ましい。
【符号の説明】
【００９５】
１、２１，２１’  ころ
２、２５、７６  柱
３、２３、６２、７２  ポケット
１１、１２  軌道輪
１４、２４、４４、７５、８１  フランジ
１５、２６、４５、６３、７４  抜止め
１６  ころ受け面
１７  窪み
１８ａ  主接触域
１８ｂ  補助接触域
２１ａ  ころの他端面
２２、４１、９１  一端側の環状部
２２ａ、２７ａ、４１ａ、４２ａ、９１ａ、９２ａ  被案内部
２７、４２、６４、９２  他端側の環状部
３０  外輪
３１  内輪
３２  軌道面
３３、３４、５１  つば
３３ａ、３４ａ、５１ａ  保持器案内面
４３、６１、７１  第２のフランジ
７３  第２の抜止め
８２  油窓
９３、９４  油溝
ｇ  間隙
【図１】
2010043734.tif 000003
【図２】
2010043734.tif 000004
【図３】
2010043734.tif 000005
【図４】
2010043734.tif 000006
【図５】
2010043734.tif 000007
【図６】
2010043734.tif 000008
【図７】
2010043734.tif 000009
【図８】
2010043734.tif 000010
【図９】
2010043734.tif 000011
【図１０】
2010043734.tif 000012
【図１１】
2010043734.tif 000013
【図１２】
2010043734.tif 000014
【図１３】
2010043734.tif 000015
【図１４】
2010043734.tif 000016
【図１５】
2010043734.tif 000017
【図１６】
2010043734.tif 000018
【図１７】
2010043734.tif 000019
【図１８】
2010043734.tif 000020
【図１９】
2010043734.tif 000021
【図２０】
2010043734.tif 000022
【図２１】
2010043734.tif 000023